(57)【特許請求の範囲】
【請求項１】
コンタクトの接続端子部を露出させ、一端部で対向する箇所に回動軸孔を設け、プリント基板固着用のホールドダウンプレートに埋設されて成形された合成樹脂製のハウジングと、
前記接続端子部とメモリーカードの接点部とが接触するように前記ハウジングと共に前記メモリーカードを収納し、前記回動軸孔で回動自在に連結されて前記ハウジングに対して開閉する金属プレートと、
前記金属プレートに設けられる一対の回動軸形成腕部のそれぞれに相互に対向するよう突出させて形成され、前記回転軸孔に入り込む楕円形状又は長円形状の回動軸突部と、
を備え、
前記回動軸孔は、前記回動軸突部の短径幅とほぼ同じ幅の第１孔と、前記回動軸突部の長径以上の幅の第２孔とが連なって形成され、
前記金属プレートは、前記回動軸突部が前記第１孔内に位置したときに前記ハウジングを被覆して閉蓋状態となり、
前記ホールドダウンプレートは、ハウジングの幅に渡り連接され、回動軸孔を穿設した端部で回動軸孔の周囲部を補強するよう折曲されて軸部補強プレート部を形成し、中間部がハウジングを補強するよう一体的に形成されることを特徴とするメモリーカード用コネクタ。
【発明の詳細な説明】
【技術分野】
【０００１】
この発明は、メモリーカード用コネクタに係り、詳細には、ハウジング本体に回動自在な金属カバーを回動させてハウジングと金属カバーとの間にメモリーカードを収納可能なメモリーカード用コネクタに係る。
【背景技術】
【０００２】
メモリーカード用のコネクタには、開口からメモリーカードを手動にて脱抜するタイプのものや、挿入後所定のボタンを押圧することでイジェクト可能であったり収納したメモリーカードを更に押圧してイジェクトするものがあった。さらには、ハウジング上面の所定の位置にメモリーカードを載置させた後に、ハウジングと回動自在な金属カバーによりハウジング上面を被覆してメモリーカードをカバーするタイプのものがあった。
【０００３】
メモリーカードを回動させた金属カバーによって被覆する従来例を以下に示す。
図６には、メモリーカード用コネクタの従来例が表されている。メモリーカード用コネクタ１００は、複数の導電性接点を有するメモリーカード（図示せず）を収容可能であり、絶縁性ハウジング１３２には複数の導電性端子１３４を設けてある。更に、絶縁性ハウジング１３２の端部には、金属カバー１３８を回動自在に設けてある。
金属カバー１３８は、メモリーカードを収容する差込口を有し、メモリーカードを金属カバー１３８上に収容することを可能にする開位置とメモリーカードの接点を絶縁性ハウジング１３２上のコンタクト１３４と係合させる閉位置とを取ることが出来るように形成されている。そして、金属カバー１３８は、この閉位置と開位置との間で回動させて開閉枢動することができるように形成されている。
また、金属カバー１３８を取付けるために、回動係止部１４０が金属カバー１３８と絶縁性ハウジング１３２との間に回動自在に、且つ、スライド可能に設けてある。回動係止部１４０は、絶縁性ハウジング１３２の一端にある受けアーム１４２と、金属カバー１３８の一端に設けるプレート側アーム１４４とによって形成されている。
プレート側アーム１４４には、絶縁性ハウジング１３２のそれぞれの受けアーム１４２に向かって内側に突出する枢動突起１７０が形成されている。更に、第２の枢動突起としてタブ１７２が、プレート側アーム１４４と対向するように金属カバー１３８の枢動端に形成され、各枢動突起１７０の方へ突出させてある。従って、金属カバー１３８の枢動端の角に２対の枢動突起が設けられ、各対は、内方に向いた枢動突起１７０と外方に向いたタブ１７２とからなっている。
【０００４】
金属ブラケット１８０は、図７に示した状態で絶縁性ハウジング１３２の受けアーム１４２の周囲に取付けられる。そして、金属ブラケット１８０は、固定タブ１８０ｄを貫通取付穴１９０に穴の下側から差込むことによって、それぞれの受けアーム１４２に下側から取付けられる。そして、金属ブラケット１８０の内側壁１８０ｂの摺動ソケット１８２ａと開口部１８２ｂが、受けアーム１４２の内側面の枢動凹部１７６ａと開口部１７６ｂと位置合わせされる。ブラケットの外側壁１８０ｃの枢動ソケット１８４ａは、受けアーム１４２の外側面の枢動凹部１７４ａとラッチ凹部１７４ｂと位置合わせされる。枢動ソケット１８４ａは、長孔状に穿設されており、枢動突起１７０は枢動ソケット１８４ａ内で移動可能である。又、金属ブラケット１８０には、枢動ソケット１８４ａと対向するように開口部１８２ｂを設けた摺動ソケット１８２ａを設けてある。そして、摺動ソケット１８２ａの開口上端部にはＹ字ラッチ部１８２ｃを備える。この摺動ソケット１８２ａには、金属カバー１３８を回動させた後に摺動させると、開口部１８２ｂからタブ１７２が入り込み、タブ１７２が摺動ソケット１８２ａ内で係止して金属カバー１３８が回動するのを阻止する。
このように、回動係止部１４０は、金属ブラケット１８０を介在させて金属カバー１３８を回動自在、且つ摺動自在に形成されている。
【０００５】
上記のように形成される金属カバー１３８の回動及び摺動の動作により、金属ブラケット１８０に穿設される枢動ソケット１８４ａと金属カバー１３８側に設けられる枢動突起１７０とが枢支状態をとる。
そして、絶縁性ハウジング１３２の上面にメモリーカードを装着する。装着時には、メモリーカードの導電性接点が、絶縁性ハウジング１３２に設けられる複数のコンタクト１３４と対向するように載置される。
この状態で金属カバー１３８を、絶縁性ハウジング１３２の上面を被覆するように回動させる。この時、金属カバー１３８のプレート側アーム１４４に設けられ枢動ソケット１８４ａに回動自在に係止されている枢動突起１７０が回動中心となる。
金属カバー１３８が回動して絶縁性ハウジング１３２上面を被覆したときには、作業者が金属カバー１３８を絶縁性ハウジング１３２側へ押圧することで、図示しない押圧部がばね力を持ってメモリーカードをコンタクト１３４側へ押圧する。この時、タブ１７２は、開口部１８２ｂに位置している。
【０００６】
更に、金属カバー１３８が絶縁性ハウジング１３２上面を被覆した状態で、金属カバー１３８を、タブ１７２が開口部１８２ｂから枢動ソケット１８４ａ内へ入り込むように摺動移動させる。すると、タブ１７２が開口部１８２ｂから枢動ソケット１８４ａ内へ入り込み枢動ソケット１８４ａ内で係止される。この状態では、金属カバー１３８の回動が阻止され、メモリーカードは絶縁性ハウジング１３２と金属カバー１３８との間に位置し、しかもメモリーカードの導電性接点がコンタクト１３４に押圧接触される。
【特許文献１】特開２００７−０２６９１８号公報
【発明の開示】
【発明が解決しようとする課題】
【０００７】
しかしながら、上記従来例では、金属カバー１３８を回動させる枢軸である受けアーム１４２部分が絶縁性ハウジング１３２の両端に形成されており、一対の受けアーム１４２間が絶縁性ハウジング１３２であるため、メモリーカード用コネクタ１００を小型化する際には合成樹脂によって形成される絶縁性ハウジング１３２が薄くなる。このため、金属カバー１３８が持ち上げられる等して受けアーム１４２部分に外力が加わると絶縁性ハウジング１３２が変形して金属カバー１３８が外れてしまうという問題点を有していた。従って、絶縁性ハウジング１３２を強固にするために、小型化を図れないという問題点を有した。更には、金属カバー１３８を回動させた際に勢い余って、受けアーム１４２部分に大きな余分な外力が加わると、絶縁性ハウジング１３２自体に割れが生じたり、破壊されたりしてしまう虞があるという問題点を有した。
【０００８】
そこで上記問題点を鑑み、小型化及び薄型化が可能であり、ヒンジ部分に充分な機械強度を有するメモリーカード用コネクタの提供をこの発明で可能にする。
【課題を解決するための手段】
【０００９】
そこでこの発明の発明者は、カバーとなる金属カバーが外れにくい構造のメモリーカード用コネクタの提供を可能にするため、ハウジングの構造を見直した。
【００１０】
本発明のメモリーカード用コネクタは、コンタクトの接続端子部を露出させ、一端部で対向する箇所に回動軸孔を設け、プリント基板固着用のホールドダウンプレートに埋設されて成形された合成樹脂製のハウジングと、前記接続端子部とメモリーカードの接点部とが接触するように前記ハウジングと共に前記メモリーカードを収納し、前記回動軸孔で回動自在に連結されて前記ハウジングに対して開閉する金属プレートと、前記金属プレートに設けられる一対の回動軸形成腕部のそれぞれに相互に対向するよう突出させて形成され、前記回転軸孔に入り込む楕円形状又は長円形状の回動軸突部と、を備え、前記回動軸孔は、前記回動軸突部の短径幅とほぼ同じ幅の第１孔と、前記回動軸突部の長径以上の幅の第２孔とが連なって形成され、前記金属プレートは、前記回動軸突部が前記第１孔内に位置したときに前記ハウジングを被覆して閉蓋状態となり、前記ホールドダウンプレートは、ハウジングの幅に渡り連接され、回動軸孔を穿設した端部で回動軸孔の周囲部を補強するよう折曲されて軸部補強プレート部を形成し、中間部がハウジングを補強するよう一体的に形成されることを特徴とする。
【００１１】
このメモリーカード用コネクタでは、金属プレートが回動する際には、ハウジングに穿設した回動軸孔の第２孔に金属プレートの回動軸突部が位置して回動自在となり、この開状態で、メモリーカードをハウジング上面に載置し、金属プレートを回動させてハウジングに被さった状態とさせてから金属プレートを摺動移動させて回動軸突部を回動軸孔の第１孔へと移動させる。すると回動軸突部は、第２孔内では短径幅が第２孔の幅方向と一致しているので摺動移動は可能であるが、その場での回動が阻害されるので、金属プレートはハウジング上面に被さった状態を維持することとなる。そして、メモリーカードを取外すときには、金属プレートの回動軸突部を回動軸孔の第２孔側へ摺動移動させる。すると第２孔では回動軸突部が回動可能となるため、金属プレートが回動自在となり、開状態を取るように回動させてメモリーカードを取外すことができる。
【００１２】
このメモリーカード用コネクタでは、補強プレートがメモリーカード用コネクタをプリント基板等の他の電子部材と接続させるホールドダウンを兼ねる。
【００１３】
このメモリーカード用コネクタでは、ホールドダウンプレートの中間部がハウジングと一体的に埋設されて形成されている。又、他の部位がハウジング表面（底面）に露出されてホールドダウンを形成する。
【発明の効果】
【００１４】
従って、この発明によれば、補強プレートがハウジングの底面側で金属プレートの回動軸間に渡り連結されるので、薄く形成されたハウジングが補強プレートによって補強され、金属プレートが引っ張られた際にハウジングが変形しようとするのを、補強プレートの物理的な剛性により防止可能であるという効果を有する。又、回動軸孔を第１孔及び第２孔から形成し、回動軸突部が第１孔内では回動不能であり摺動のみが可能に構成され、第２孔内では回動自在となるので、メタルプレートによる閉蓋時にメタルプレートが容易に開状態とならず、閉蓋時にメタルプレートの剛性によってメモリーカード用コネクタ自体が補強される構造にできる。
【００１５】
又、補強プレートがホールドダウンプレートからなる場合では、前記効果に加え、中間部がハウジングと一体的に埋設されて形成されるので、更に剛性が増すという効果を有すると共に、ホールドダウンプレートを別途設けることなく剛性を増すことが可能となるという効果を有する。
【実施例１】
【００１６】
以下に、実施例を図面に基づき説明する。図１は、実施例を説明する図であり、（ａ）は閉状態としたときの斜視説明図、（ｂ）は開状態にしたときの斜視説明図、（ｃ）は下方からの斜視説明図である。図２は、ハウジングを表す斜視説明図である。図３は、コンタクト及びホールドダウンプレートの配置を表す斜視説明図である。図４は、実施例の部品を表し（ａ）は平面説明図、（ｂ）は側面説明図、（ｃ）は正面説明図、（ｄ）は底面説明図、（ｅ）は（ａ）の中央縦断面説明図である。
【００１７】
１は、メモリーカード用コネクタである。メモリーカード用コネクタ１は、図１（ａ）〜図１（ｃ）に表すように、ハウジング２の端部にて回動自在なメタルプレート３を設けてなり、図１（ｂ）に表す開状態において、ハウジング２の上面２ａにメモリーカード（図示せず）を載置し、メタルプレート３を閉状態にしてメモリーカードを電気的にメモリーカード用コネクタ１へ接続し用いる。図１（ａ）は、メモリーカード用コネクタ１を閉状態としたときの斜視説明図であり、図１（ｂ）は、メモリーカード用コネクタ１を開状態にしたときの斜視説明図である。また、メモリーカード用コネクタ１の上面２ａでメモリーカードＭＣの接点部（図示せず）と対向する位置には、ばね力を持って上面２ａから突出するようコンタクト４の一部を露出させて設ける。
【００１８】
以下、メモリーカード用コネクタ１の各部を説明する。ハウジング２は、絶縁性を有する樹脂で成形され、上面２ａに露出されるコンタクト４及びホールドダウンプレート５と共に一体的に形成される。コンタクト４は、ハウジング２の中央に複数並設され、一端がハウジング２の下面２ｂから稍突出するように露出されてプリント基板（図示せず）の所定箇所と半田付け等によって固定される。
【００１９】
メタルプレート３は、薄板状の金属板をプレス加工して形成される。メタルプレート３は、閉状態でハウジング２の上面を覆うように方形状にプレート本体３１を設け、プレート本体３１の対向する一対の側縁をハウジング２の被覆時にハウジング２の下面側となる同じ側へ折曲してハウジング２の側面２４ａ、２４ｂの外側で対向するようにプレート側部３２を設ける。従ってメタルプレート３は、下方を開口した断面形状コ字状の薄板金属プレートからなる。そして、プレート本体３１には、折曲したプレート側部３２から回動軸形成腕部３３が延設される。従って、一対のプレート側部３２に設けられた回動軸形成腕部３３は、相互に対向して形成されることとなる。更に、この回動軸形成腕部３３の先端側には、相互に対向するように回動突部３４が形成される。従って、回動突部３４はそれぞれの回動軸形成腕部３３に相互に対向するように内側へ突設される。この回動突部３４がハウジング２との枢軸となる。また、回動突部３４は、回動軸形成腕部３３の長手方向、即ちハウジング２の側面２４に沿う方向に長く形成される。従って、回動突部３４は、長方形形状の短辺を円弧状に丸めた形状で突出されており、短辺側となる短径と、長辺側となる長径とによって形成されるので、長径より幅広の孔に入り込んだときには回動自在となるが、同形状あるいは短径側が入り込む幅が長径より小さい孔に入り込んでいるときには回動することができない。
【００２０】
また、メタルプレート３には、ホールドダウンプレート５と係止して電気的な接続を形成すると共に機械的な係止を行うための係止接続孔３５が穿設される。係止接続孔３５は、プレート側部３２のそれぞれに、プレート側部３２の略中央に対向させて穿設される。更にプレート側部３２には、係止接続孔３５の回動軸形成腕部３３とは反対側に、コ字状の溝部３６が穿設して形成される。この溝部３６は、プレート側部３２のプレート本体３１とは反対側となる端部にまで抜けるように穿設されることで、ホールドダウンプレート５に設けられる係止突部が入り込めるようにしてある。
【００２１】
ハウジング２は、図２に表すように、方形の板状からなりその中央を切欠した形状からなり、絶縁性を有する樹脂により形成される。そして、ハウジング２の周囲部である枠部２１は、内周に沿って段差部２２を設けることで、ハウジング２の内部が一段低くなるように形成される。また、ハウジング２の端縁の一方には段差部２２を設けず、段差部２２の底部と同じレベルとなるように低く形成し、この端縁の側面視では、ハウジングが上方に開口したコ字状となるように形成し、上部を覆うメタルプレート３とハウジング２の該端縁との間にメモリーカードを挟み込めるスペース２３が形成される。更にまた、スペース２３を設けた端縁と対向する回動端２６側には、メタルプレート３が回動自在に接続される。即ち、ハウジング２には、スペース２３を設けた端部とこれに対向する端部との間に有る側面２４ａ、２４ｂに、メタルプレート３が回動自在に係止される回動軸孔２５が設けられる。回動軸孔２５は、側面２４ａ、２４ｂのスペース２３とは反対の端部側にそれぞれ対向するよう同形状に穿設して設けられる。ここでは、側面２４ａに穿設する回動軸孔２５を例に説明する。
【００２２】
回動軸孔２５は、Ｌ字状に折曲した凹形状に設けられる。即ち、回動軸孔２５は、ハウジング２のメタルプレート３と回動自在に係止される回動端２６側に、スペース２３側から回動端２６側へ側面２４ａの長手方向に沿って長孔状に設けられる第１孔２５ａと、第１孔２５ａの回動端２６側に下面２ｂ側へ折曲して設けられる第２孔２５ｂとからなる。そして、第１孔２５ａは、上面２ａ及び下面２ｂ方向の幅がメタルプレート３に設けられる回動突部３４の短径より幅広であり長径より幅狭に設けられるので、メタルプレート３の回動突部３４が第１孔２５ａ内で回動することが出来ない構造となっている。また、回動軸孔２５では、第１孔２５ａからこれに続く第２孔２５ｂまでを回動突部３４の長径よりも長く穿設されているので、メタルプレート３に設けられる回動突部３４が第１孔２５ａ内に位置しているときにはメタルプレート３は回動できないものの、第１孔２５ａ及び第２孔２５ｂ内で摺動移動可能となっている。
【００２３】
このように、メタルプレート３の回動突部３４が回動軸孔２５内を摺動移動可能に形成されることで、回動突部３４が第１孔２５ａに位置している場合にはメタルプレート３が回動突部３４を中心として回転することが出来ないが、回動突部３４が第２孔２５ｂに位置している場合には回動突部３４を中心としてメタルプレート３を回転させることが出来てメモリーカードの出し入れが可能となる。
【００２４】
ハウジング２に固定されるコンタクト４は従来同様の構造であり、細長い良導体金属板を折曲及び湾曲させて形成され、複数本が同時にプレス加工により製造されてハウジング２の型による成型時に同時に一体的にハウジング２に取付け固定される。コンタクト４は、図３等に表すように、中間部４１がハウジング２へ一体的に形成され、一方の端部がハウジング２のスペース２３側で下面２ｂ側へ位置されてプリント基板（図示せず）等の他の電子部材と電気的に接続されると共に固定される半田固定部４２を形成する。この半田固定部４２は、ハウジング２の下面２ｂと同レベルかほんの僅か突出するように位置される。またコンタクト４は、半田固定部４２と反対側の端部が接続端子部４３を形成する。接続端子部４３は、メモリーカードがハウジング２へ装着されてメモリーカードの接点部（図示せず）と良好な接触圧をもって電気的に接続可能なばね力を持つように、ハウジング２の上面２ａから突出するように湾曲させて形成する。そしてコンタクト４は、メモリーカードとの接続に必要な数をハウジング２の形成時に一体的に形成されて固着される。尚、コンタクト４は、従来から実施されているコンタクト４と何ら変わるものではなく適宜形状のものが適宜数設けられれば足りる。
【００２５】
ハウジング２には、コンタクト４と同様に、ホールドダウンプレート５が一体的に固設される。ホールドダウンプレート５は、金属プレートをプレス加工して形成され、ハウジング２の周囲に沿って配置可能なように枠部２１形状に合わせて形成され、所定箇所をハウジング２内部に位置させた状態で一体的に成形されることで、ホールドダウンプレート５の金属剛性をハウジング２に寄与させ、更に所定箇所を下面２ｂから稍突出するように露出させて半田付け等によりプリント基板（図示せず）と電気的に接続可能であると共に接続固定可能である。図１（ａ）〜図１（ｃ）や図２等に表すように、ハウジング２の側面２４ａ、２４ｂに設けられる回動軸孔２５の部分では、ホールドダウンプレート５におけるハウジング２の枠部２１に沿って配置された側部を側面２４ａ、２４ｂに沿うように下面２ｂ側から折曲して、軸部補強プレート部５１が形成される。軸部補強プレート５１部には、ハウジング２の回動軸孔２５の外側に嵌合可能に補強孔５２が穿設してある。従ってこの補強孔５２は、回動軸孔２５より稍大きく開口され、ハウジング２には回動軸孔２５の周囲部を側面２４ａ、２４ｂから突出させてフランジ状に縁部２７がフランジ状に形成され、縁部２７と補強孔５２とが嵌合して補強孔５２が縁部２７の周囲部を補強する。このようにハウジング２の縁部２７とホールドダウンプレート５の補強孔５２とを嵌合させ、ホールドダウンプレート５の金属特性である機械的強度を、その強度の劣るハウジング２の回動軸孔２５周囲に付与することで、メタルプレート３の回動突部３４と回動軸孔２５と枢支によるメタルプレート３の回動時に、回動軸孔２５を破壊することなく補強可能となる。
【００２６】
またホールドダウンプレート５は、ハウジング２の側面２４ａ、２４ｂそれぞれの中間位置で、軸部補強プレート部５１と同様に側面２４ａ、２４ｂに沿うように下面２ｂ側から折曲してプレート固定部５３を形成する。プレート固定部５３は、メタルプレート３がハウジング２の上面２ａを覆うように閉状態となった時にメタルプレート３の係止接続孔３５と対向する位置となるように設けられる。プレート固定部５３の位置するハウジング２の側面２４ａ、２５ｂ部分は凹状に形成されており、プレート固定部５３は、側面２４ａ、２４ｂの表面に露出されるように設けられる。更にプレート固定部５３は、その中央に突部を設ける。このようにプレート固定部５３は、突部を設けることで、メタルプレート３の係止接続孔３５に入り込んでメタルプレート３の係止接続孔３５を設けた部分（プレート側部３２）が有するばね力により係止可能であると共に電気的に接続される。
【００２７】
更に、ホールドダウンプレート５は、複数の所定箇所がハウジング２の下面２ｂ側へ露出されてプリント基板（図示せず）等の電子部品とのアースを取るホールドダウン部５４を形成する。このホールドダウン部５４は、この実施例では、軸部補強プレート部５１が立設される下面２ｂ側と、軸部補強プレート部５１、５１間の略中央部と、枠部２１のスペース２３側とに、それぞれ枠部２１の下面２ｂに露出するように設けてある。従って、ホールドダウンプレート５は、ホールドダウン部５４が下面２ｂと同レベルか稍突出するようにホールドダウン部５４を下面側へ折曲して形成し、ハウジング２と一体的に形成される。尚、この実施例では、ホールドダウン部５４を上記のように形成したが、実施する形状に合わせて適宜位置に設ければ足りる。
【００２８】
また、ホールドダウンプレート５が、側面２４ａ、２４ｂを形成している枠部２１内の全長に渡ってハウジング２の側面と並行となるようにＬ字状に折曲させた補強折曲部（図示せず）を形成し、更に枠部２１の回動端２６側にも同様に補強折曲部（図示せず）を形成し、枠部２１の内部にＬ字状のハウジング補強部を形成することで、ハウジング２は更に補強される。尚、ホールドダウンプレート５は、少なくとも枠部２１の回動軸孔２５間に両側に設けた補強孔５２の相互を連結するように枠形状に金属プレートを設ければ、メタルプレート３を回動させた際に、回動軸孔２５の部分を上方へ引っ張るような力が働いても、ハウジング２はホールドダウンプレート５によって補強されているので容易に変形せず、メタルプレート３の回動突部３４が回動軸孔２５から離脱してしまうという問題を解消できる。
【００２９】
メモリーカード用コネクタ１は、上記実施例ではコンタクト４及びホールドダウンプレート５をハウジング２と一体成形してハウジング２に固定したが、ハウジング２への係止部を設けてハウジング２へ嵌合固定するように形成しても良い。
【００３０】
上記のように形成されるメモリーカード用コネクタ１では、メタルプレート３の回動突部３４がハウジング２に設けられる回動軸孔２５の第２孔２５ｂに位置する状態で回動させ、スペース２３側を大きく開放し、ハウジング２の上面２ａを露呈させて該上面２ａにメモリーカードを載置する。この時、メモリーカードの接点部（図示せず）はコンタクト４の接続端子部４３に位置するようにハウジング２の段差部２２が上面２ａにメモリーカードの位置決めを行っている。所定位置にメモリーカードを載置したところで、メモリーカードとコンタクト４との良好な電気的接続を完了させるため、メモリーカードを上方からコンタクト４側へ押圧すべくメタルプレート３を閉状態となるように回動させる。この時、メタルプレート３の回動突部３４は回動軸孔２５の第２孔２５ｂ内に位置しているので回動可能である。
【００３１】
メタルプレート３を回動させてハウジング２の上面を被覆するようにすると、回動突部３４の長径方向が第１孔２５ａの長径方向と一致し回動突部３４の短径方向が第１孔２５ａの短径方向と一致するので、回動突部３４が第１孔２５ａ内へ入り込むことが可能となっている。また、回動突部３４が回動軸孔２５の第２孔２５ｂに位置しているときにはメタルプレート３に設けた溝部３６は、ハウジング２の側面２４ａ、２４ｂに位置しているホールドダウンプレート５のプレート固定部５３に位置しており、ハウジング２の上面２ａを被覆したときにプレート固定部５３が溝部３６に入り込む。この状態で、メタルプレート３をハウジング２の上面２ａに沿ってスペース２３側へ摺動移動させる。この時、回動突部３４は、短径方向及び長径方向が第１孔２５ａの短径方向及び長径方向と一致しているので、摺動可能な状態となっている。
【００３２】
回動突部３４が第１孔２５ａ内に入り込むと、メタルプレート３の溝部３６も移動するので、やがてホールドダウンプレート５のプレート固定部５３がメタルプレート３のプレート側部３２を押し上げるようにして下側（プレート側部３２におけるハウジング２の側面２４ａ側）に入り込み、更に摺動が進むことでホールドダウンプレート５のプレート固定部５３が係止接続孔３５に入り込むこととなる。この時、プレート固定部５３と接続端子部４３との接続は、プレート固定部５３がメタルプレート３のプレート側部３２の若干の撓みによるばね力により押圧接続されて電気的にも良好な接続がなされる。勿論、メタルプレート３が容易にスライドして回動突部３４が回動軸孔２５の第２孔２５ｂ側へ移動しないように物理的にも係止される。そして、メタルプレート３は、ホールドダウンプレート５のプレート固定部５３と電気的に接続されるので、メモリーカードとコンタクト４との情報の授受に際し良好なシールド効果を発揮することが可能となる。
【００３３】
メモリーカードを取り除くときには、メタルプレート３を回動端２６側へスライドさせてプレート固定部５３が溝部３６に位置するようにしてプレート固定部５３と係止接続孔３５との接続を解除させる。この時、回動突部３４が回動軸孔２５の第２孔２５ｂに入り込むので、メタルプレート３が回動自在な状態となる。そこで、メタルプレート３の回動軸形成腕部３３と反対側である自由端側を上面２ａから遠ざかるよう回動させて開状態とする。この時、作業者が力を入れすぎて回動しても、ホールドダウンプレート５が回動軸孔２５の周囲部を補強すると共に左右の回動軸孔２５間に渡って連結して補強されていない仮想例では、図５に表すように、Ａ部が撓みハウジング２の両回動軸孔２５間が歪んでしまい回動突部３４が回動軸孔２５から離脱してしまうという問題が生じた。しかしながらこの実施例では、ホールドダウンプレート５が回動軸孔２５周囲部を補強すると共に左右の回動軸孔２５間に渡って連結されており、ハウジング２を補強しているので、図５によるような撓みは発生せず、メタルプレート３がハウジング２から離脱してしまうというような問題が発生することは少ない。
【００３４】
尚、回動突部３４が回動軸孔２５の第１孔２５ａ内に入り込んでメモリーカードをハウジング２との間に収納した状態では、メタルプレート３のプレート本体３１がメモリーカードをハウジング２側へ押圧するので、コンタクト４の接続端子部４３とメモリーカードの接点部（図示せず）とが良好な接触圧をもって電気的に接続可能となっているが、このような構造も従来と同じであり、プレート本体３１の一部をコ字状に切欠してハウジング２側へ折り曲げ、プレート本体３１を形成する金属板の有するばね力を持ってメモリーカードをハウジング２側へ押圧する等他の方法によっても良い。
【産業上の利用可能性】
【００３５】
この発明は、メタルプレートの開閉動作によってメモリーカードの着脱を行うメモリーカード用コネクタに実施可能であり、特に機械的強度の得難い小型のメモリーカード用コネクタに実施することでより効果を発揮する。
【図面の簡単な説明】
【００３６】
【図１】実施例を説明する図であり（ａ）は閉状態としたときの斜視説明図（ｂ）は開状態にしたときの斜視説明図、（ｃ）は下方からの斜視説明図
【図２】実施例の部品を表す斜視説明図
【図３】実施例の部品の配置を表す斜視説明図
【図４】実施例の部品を表し（ａ）は平面説明図、（ｂ）は側面説明図、（ｃ）は正面説明図、（ｄ）は底面説明図、（ｅ）は（ａ）の中央縦断面説明図
【図５】仮想例の撓みの状態を表す断面説明図
【図６】従来例を表す説明図
【図７】従来例を表す説明図
【符号の説明】
【００３７】
１    メモリーカード用コネクタ
２    ハウジング
２ａ    上面
２ｂ    下面
２１    枠部
２２    段差部
２３    スペース
２４ａ  側面
２４ｂ  側面
２５    回動軸孔
２５ａ  第１孔
２５ｂ  第２孔
２６    回動端
２７    縁部
３    メタルプレート
３１    プレート本体
３２    プレート側部
３３    回動軸形成腕部
３４    回動突部
３５    係止接続孔
３６    溝部
４    コンタクト
４１    中間部
４２    半田固定部
４３    接続端子部
５    ホールドダウンプレート
５１    軸部補強プレート部
５２    補強孔
５３    プレート固定部
５４    ホールドダウン部
【図１】
0004712856.tif 000002
【図２】
0004712856.tif 000003
【図３】
0004712856.tif 000004
【図４】
0004712856.tif 000005
【図５】
0004712856.tif 000006
【図６】
0004712856.tif 000007
【図７】
0004712856.tif 000008